(57)【要約】【課題】記念バッチやゴルフボールのカウンターを磁性吸着できる運動帽を提供。【解決手段】  帽子１と固定台２で構成し、つば１１をつば本体１１１及びそれを上下でカバーする包覆層１１２、１１３で形成する。つば本体に複数の設置穴１１１１を設けて、ぞれぞれ固定台２を収納する。該固定台は、設置孔の上縁に掛合する掛合棒２２を外側縁から延伸して形成し、固定台底部外縁に形成したストッパー２３とで設置孔に固定する。さらに固定台と掛合棒の間に複数の磁石を設置して支持せしめ、記念バッチ３の柱体３２をこれら磁石の間から固定台の穴にまで挿入して固定する。【選択図】  図２
0003163876.tif 000002
【実用新案登録請求の範囲】
【請求項１】
帽子及び複数の固定台からなり、
該帽子に外向けに延伸するつばを設け、該つばにつば本体及びつば本体外部を包む包覆層を上下に設け、該つば本体の表面に間隔をあけて配列する固定台の設置穴を複数設け、
該固定台は、その外側縁に垂直に上向きに延伸して、設置穴と結合して定位置につける複数の掛合棒を設けて設置穴の内部に収納し、
該固定台と掛合棒の間のスペース内にサークル状に相隣して配列する複数の磁石を設置して磁石と磁石の真ん中に空きスペースを形成し、そこに記念バッチの柱体を挿入できるようにしたことを特徴とする運動帽の構造。
【請求項２】
前記帽子の設置穴の上下の開口縁に、それぞれ階段状の段差からなる保持面を形成し、固定台中央に、設置穴と相通じる穴を設け、
前記掛合棒の端は外向けに曲げてフックを形成し、設置穴の上方にある保持面と掛合し、該固定台の底部縁に、一つ或いは一つ以上の直径がやや大きいストッパーを形成して設置穴下方にある別の保持面と掛合し、
記念バッチの底部より下方に延伸する柱体を固定台中央の前記穴に挿入し、また記念バッチの頭部上方に一つ或いは一つ以上のゴルフボールのカウンターを磁性吸着できるようにしたことを特徴とする請求項１記載の運動帽の構造。
【請求項３】
前記固定台は磁性金属の材質として磁石を３つ或いは３つ以上をサークル状に相隣して配列して固定台に吸着し、
該磁石の内側に形成する空きスペースに記念バッチの柱体を挿入すると、磁石が掛合棒を押し、設置穴の内壁面にしっかりと抵触するようにしたことを特徴とする請求項１記載の運動帽の構造。
【考案の詳細な説明】
【技術分野】
【０００１】
本考案は、運動帽の構造に関し、特につばの部分に記念バッチやゴルフボールのカウンターをしっかりと固定し、取り外しも便利であるなど、運動帽の機能及び効果を向上する運動帽の構造に関する。
【背景技術】
【０００２】
近年国民の所得が増えたために生活レベルが大幅に引き上げられ、ロハスな生活が重視されるようになり、レジャーと健康に対して積極的な態度になったと同時に、レジャー産業の発展にも影響を及ぼすようになった。ゴルフについて言えば、ゴルフは哲理に富んだスポーツであり、プレイヤーはルールやマナーを守る必要がある。ボールを使用する多くのスポーツは、ラケットやバッドなどを使用し、片手でボールを打つが、ゴルフは両手を使って、体のリズムでボールを打つ。場所や環境が異なるため、毎回クラブを振る際に、自分自身にチャレンジと期待を与えることができる。
【０００３】
更に、ゴルフはほぼ屋外で行なわれ、ゴルフ場には暑さをしのぎ、太陽を遮る大樹やテントなどの環境や設備が少なく、プレイヤーは多くの時間を直射日光にさらされるため、紫外線が皮膚にダメージを与えるのを特に注意しなくてはならない。よって、プレイヤーは身軽なゴルフウェアに運動帽をかぶる。頭部を紫外線から守るほか、幅広いツバのデザインが目を守ることで、太陽光を遮り、日焼け防止と快適さの効果を備える。
【０００４】
上記帽子について、日焼けの問題を解決でき、実用性を併せ持つほか、美観と独特な特色が必要であり、流行を追い、単調であってはならないなど、人々が製品に対するニーズが高まったため、ユニークで斬新な製品を案出する必要があった。
【先行技術文献】
【特許文献】
【０００５】
【特許文献１】特開２００３−１３３２０号公報
【考案の概要】
【考案が解決しようとする課題】
【０００６】
前記公知構造の欠点を解決するため、本考案の第１の目的は、記念バッチやゴルフボールのカウンターを磁性吸着できる運動帽の構造を提供することにある。
本考案の第２の目的は、記念バッチなどを設置する固定台をつばと一体化させ、組立が簡単で構造が安定する運動帽の構造を提供することにある。
本考案の第３の目的は、固定台に設置する掛合棒が設置穴から脱落せず、しっかりつば本体の設置穴に抵触する運動帽の構造を提供することにある。
【課題を解決するための手段】
【０００７】
前記課題を解決するために、本考案は運動帽の構造を提供するものである。本考案は帽子のつば本体に複数の設置穴を設け、設置穴の中に更に固定台を収納する。該固定台の外側縁に設置する複数の掛合棒を設置穴内に掛合し、固定台と掛合棒との間に定位置スペースを形成し、内部に複数の磁石を収納する。記念バッチの柱体をサークル状に相隣して配列する複数の磁石２４の内側にある空きスペース２４１から固定台２の穴２１にまで挿入すると、記念バッチが移動するのを防止する効果がある。また、記念バッチの頭部にゴルフボールのカウンターを磁性吸着させると、運動帽を使用する際の機能と効果を上げることができる。
【０００８】
本考案の固定台の外側縁に設置する掛合棒は設置穴にセットする際に、弾性的に変形する。また、固定台の底部に複数の直径がやや大きいストッパーを形成し、設置穴の下方に位置させる。複数の磁石が固定台に磁性吸着し、固定台の掛合棒とも相互に磁性吸着するために、しっかりと確実に定位置に着く。固定台とつばがしっかりと結合して一体化することで、固定台がつばより脱落するのを防止し、組立が簡単且つ構造が安定する効果を持つ。
【０００９】
本考案の固定台と掛合棒の間に形成する定位置スペース内に複数の磁石を収納し、該磁石の周辺はそれぞれ掛合棒に対応して抵触する。掛合棒を押し合ってつば本体の設置穴の内壁面にしっかりと抵触することで、掛合棒が設置穴から脱落するのを防止する効果を持つ。
【考案の効果】
【００１０】
本考案は帽子のつば本体表面に複数の設置穴を設置し、それぞれ固定台を収納する。該固定台の外側縁から延伸する複数の掛合棒によって設置穴と結合し、該固定台と掛合棒の間に形成する定位置スペースに複数の磁石を設置する。記念バッチの柱体をサークル状に相隣して配列する複数の磁石の内側にある空きスペースから固定台の穴にまで挿入することにより、記念バッチの柱体が移動するのを制限する。また、記念バッチの頭部に、ゴルフボールのカウンターを磁性吸着することができ、運動帽全体の使用する際の機能と効果を上げる。
【図面の簡単な説明】
【００１１】
【図１】本考案における立体外観図である。
【図２】本考案における立体分解図である。
【図３】本考案における固定台と磁石の立体外観図である。
【図４】本考案における固定台と磁石の立体分解図である。
【図５】本考案における組立前の断面図である。
【図６】本考案における組立後の断面図である。
【図７】本考案における最良実施例の立体外観図である。
【図８】本考案における第二実施例の立体外観図である。
【考案を実施するための形態】
【００１２】
本考案による運動帽の構造を明確に示すために図に沿って詳細な説明を行う。
【００１３】
図１、図２、図３及び図４に示すのは、本考案の立体外観図、立体分解図、固定台と磁石の立体外観図と固定台と磁石の立体分解図である。本考案は帽子１及び複数の固定台２を具える。
【００１４】
該帽子１は、頭にかぶることができ、帽子１からつば１１を延伸し、つば１１に一つ或いは一つ以上の交互に重ねるつば本体１１１及び、つば本体１１１の上下層のそれぞれ包覆層１１２、１１３から構成する。該つば本体１１１の表面に間隔をあけて複数の設置穴１１１１を設け、該設置穴１１１１の上下開口縁にそれぞれ階段状の保持面１１１２、１１１３を形成する。
【００１５】
固定台２を帽子１の設置穴１１１１内に収納し、固定台２の中央に設置穴１１１１と連通する穴２１を設ける。該固定台２の外側縁に垂直に複数の掛合棒２２を延伸し、該掛合棒２２より外側に折り曲げたフック２２１を具有し、更に固定台２の底部縁より外側に向けて一つ或いは一つ以上の直径が比較的大きく、掛合棒２２と交互に設置するストッパー２３を形成する。固定台２と複数の掛合棒２２の間に定位置スペース２０を形成し、定位置スペース２０の内部にサークル状に相接して配列し、掛合棒２２に対応して抵触する複数の磁石２４を収納する。
【００１６】
図２、図３、図５及び図６に示すのは、本考案の立体分解図、固定台と磁石の立体外観図、組立前と組立後の断面図である。上記部品を組立てる際、まず固定台２を帽子１のつば１１のつば本体１１１と結合する。該組み立て方法とは、固定台２の外側縁にある複数の掛合棒２２をそれぞれつば本体１１１にある設置穴１１１１に入れ、該掛合棒２２のフック２２１は設置穴１１１の内壁面に沿って弾性的に変形する。固定台２を完全に設置穴１１１１に押し入れると、掛合棒２２のフック２２１は設置穴１１１１上方縁にある保持面１１１２と掛合する。同時に固定台２の底部にあるストッパー２３は設置穴１１１１の下方縁にある別の保持面１１１３と掛合するため、固定台２とつば１１を安定して一体化することができ、固定台２が外力を受けてつば１１から脱落するのを防止することができる。
【００１７】
次に、複数の磁石２４を固定台２と複数の掛合棒２２の間に形成する定位置スペース２０内に設置する。磁石２４はそれぞれ掛合棒２２の直立するサイドに抵触し、掛合棒２２を設置穴１１１１の内壁面に押すために、しっかりと張り付く状態となり、掛合棒２２のフック２２１が設置穴１１１１の上方にある保持面１１１２から離れるのを防止し、固定台２が安定して帽子１のつば１１のつば本体１１１にしっかりと結合し、容易に外れなくなる。本考案の最良実施例では、３つの円形磁石２４をサークル状に相隣して配列し、固定台２の掛合棒２２の数も磁石２４と同じとしているが、それによって制限されないこととし、実際のニーズやデザインにより、磁石２４の数を増減することができる。また、３つ或いは３つ以上の相隣して配列する磁石２４の内側に形成する空きスペース２４１は、固定台２の穴２１と連通する。つば１１のつば本体１１１の上下を包覆層１１２、１１３で覆うことで、該固定台２をカバーすることになり、全体の美観を保つことができる。
【００１８】
前記固定台２について、最良実施例は金属の材質で作り、複数の磁石２４は固定台２と対応する掛合棒２２と互いに磁性吸着し、確実に定位置につき、外力によって移動するのを防止する。また、該固定台２はプラスティックの射出一体成型を使用することもでき、３つ或いは３つ以上のサークル状に相隣して配列する円形磁石２４を使って、それぞれ掛合棒２２に抵触することで、磁石２４と掛合棒２２の間に隙間が生じず、同様に磁石２４が任意に移動するのを防止することができる。更に固定台２の掛合棒２２及びストッパー２３はつば１１のつば本体１１１の設置穴１１１１両サイドにある保持面１１１２、１１１３と掛合することにより、固定台２がつば１１から脱落するのを防止することができ、素晴らしい安定性を具有する。
【００１９】
図７、図８に示すのは、本考案の最良実施例の立体外観図及び第二実施例の立体外観図である。記念バッチ3は頭部３１及び、頭部３１の底面に下方向に延伸する一つ或いは一つ以上の柱体３２を具有する。該頭部３１は円形や楕円形、矩形、台湾地形或いは人物肖像など、様々な形状と色や図案、模様などのデザインにすることができる。使用する際、まず記念バッチ３の柱体３２を帽子１のつば１１の包覆層１１２より３つの相隣して配列する磁石２４の内側に形成する空きスペース２４１を通って固定台２の穴２１にまで挿入すると、記念バッチ３の柱体３２が磁石２４を押し合い、磁石２４が掛合棒２２と更に抵触するために、しっかりと安定した状態となり、記念バッチ３が移動するのを制限する効果を果たす。更に複数の磁石２４は金属材質或いは磁性材質である記念バッチ３の頭部３１を磁性吸着してつば１１に定着することができ(図１を参照)、帽子１外観の一致性を保つとともに、使用上の機能と効果を引き上げ、製品として競争力を具有する。
【００２０】
以上の実施例による本考案の詳細な説明は本考案の範囲を制限するものではない。本考案は主に帽子１のつば１１のつば本体１１１に複数の設置穴１１１１を設け、各設置穴１１１１内にそれぞれ固定台２を設置し、固定台２の外側縁にある掛合棒２２のフック２２１を設置穴１１１１上方の保持面１１１２と掛合し、固定台２の底部にある直径がやや大きいストッパー２３は設置穴１１１１下方の保持面１１１３と掛合する。記念バッチ３の柱体３２をサークル状に相隣して配列する複数の磁石２４の内側にある空きスペース２４１から固定台２の穴２１にまで挿入し、記念バッチ３の柱体３２を磁性吸着して移動するのを制限し、つば１１に定置付けすることができるほか、固定台２が外力によってつば１１より外れるのを防止する効果もある。
【００２１】
又、記念バッチ３の頭部３１は台座の形態を成し、頭部３１の上方に更に磁性で吸着する一つ或いは一つ以上のゴルフボールのカウンター４を設置することができ、ユーザーがゴルフボールのカウンター４を使用する際、素早く取り外すことができ、探す手間が省ける。
【００２２】
本考案のメリットは下記の５点が挙げられる。
１、       
本考案の固定台２を帽子１の設置穴１１１１内に収納し、固定台２の外側縁にある複数の掛合棒２２を設置穴１１１１内に掛合する。３つの相隣して配列する磁石２４の内側に形成する空きスペース２４１を通って、固定台の穴にまで記念バッチ３の柱体３２を挿入することで、しっかりと位置づけすることができ、記念バッチ３が移動するのを制限する目的に達する。
２、       
本考案の固定台２の外側縁に複数の掛合棒２２を設置し、該掛合棒２２は設置穴１１１１に挿入する際に、弾性的に変形し、フック２２１を保持面１１１２に掛合し、固定台２底部にある直径がやや大きいストッパー２３が設置穴１１１１の下方の保持面１１１３と掛合するため、固定台２とつば１１が安定して一体化し、組立が簡単且つ構造が安定する目的に達する。
３、       
本考案の固定台２と掛合棒２２の間に形成する定位置スペース２０の中に複数の磁石２４を収納する。磁石２４はそれぞれ掛合棒２２に抵触して掛合棒２２を外側に押すため、つば１１のつば本体１１１の設置穴１１１１の内壁面に抵触し、掛合棒２２が設置穴１１１１から外れるのを防止する目的に達する。
４、       
本考案の固定台２は金属の材質を用いて作られるため、複数の磁石２４を固定台２に磁性吸着することができる。また、固定台２と対応する掛合棒２２が互いに磁性吸着するために、しっかりと定位置につき、外力の影響を受けて、任意に移動するのを防止する目的に達する。
５、       
本考案の固定台２の掛合棒２２は、直径のやや大きいストッパー２３とともに、つば１１のつば本体１１１の設置穴１１１１の保持面１１１２、１１１３と掛合することで、固定台２をつば１１としっかりと一体化にし、固定台２がつば１１から脱落するのを防止する目的に達する。
【００２３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２４】
１  帽子
１１  つば
１１１  つば本体
１１１１  設置穴
１１１２  保持面
１１１３  保持面
１１２  包覆層
１１３  包覆層
２  固定台
２０  定位置スペース
２１  穴
２２  掛合棒
２２１  フック
２３  ストッパー
２４  磁石
２４１  空きスペース
３  記念バッチ
３１  頭部
３２  柱体
４  カウンター
【図１】
0003163876.tif 000003
【図２】
0003163876.tif 000004
【図３】
0003163876.tif 000005
【図４】
0003163876.tif 000006
【図５】
0003163876.tif 000007
【図６】
0003163876.tif 000008
【図７】
0003163876.tif 000009
【図８】
0003163876.tif 000010